(57)【特許請求の範囲】
【請求項１】
一年間分の予定兼日記書込み用紙（２）を、上下一組の綴じ具（４ａ，４ｂ）によって背側を差し替え不能に綴った中身（３）と、その中身（３）を着脱自在に取り付ける反復利用可能な表紙（１）とから構成され、
中身（３）は、前記両綴じ具（４ａ，４ｂ）によって、背側の縁部の上下二箇所をその中間部に間隔（Ｗ）を開けた状態で綴られると共に、該間隔（Ｗ）で中身（３）が湾曲可能になっており、
表紙（１）は、その背表紙部（１２）の上下両端部に、前記各綴じ具（４ａ，４ｂ）を係止する係止具（１４ａ，１４ｂ）を、綴じ具（４ａ，４ｂ）の内部に向かって突設してあることを特徴とする手帳。
【請求項２】
前記両綴じ具（４ａ，４ｂ）は、中身（３）の背側に対面する樋状に湾曲する背面部（４１）を有すると共に、該背面部（４１）の湾曲両端部間に、中身（３）の各綴り穴（５）に挿通する半円状の保持部（４２）を、連結状態で設けてあることを特徴とする請求項１記載の手帳。
【請求項３】
前記両綴じ具（４ａ，４ｂ）の背面部（４１）を、西暦、年号の記載箇所としてあることを特徴とする請求項１又は請求項２記載の手帳。
【発明の詳細な説明】
【０００１】
【発明の属する技術分野】
本発明は、一年の月日が予め順番に記載してあり、その余白部分に予定や、当日の出来事等を日記風に書き込む形式の手帳に関するものである。
【０００２】
【従来の技術】
年末年始にかけて上記した形式の手帳が、銀行や各種企業からの粗品として配布されたり、或いは、書店や文房具屋等で販売されている。
【０００３】
【発明が解決しようとする課題】
ところが従来の手帳は、一年毎に交換することを想定して粗末に作られているので、愛着が湧かないことは勿論、一年経過後には特に表紙がぼろぼろになり、新しい手帳を使い始める頃には、捨てられているのが現状である。しかしながら自己の過去の記録が克明に記載された各用紙を一纏に綴った手帳の中身は、足跡を辿るには最適なものであり、これを捨ててしまうのは誠に勿体ないばかりか、自己の貴重な資料の損失とも言える。
【０００４】
本発明は上記実情に鑑みてなされたものであり、その目的とするところは、使用済みの中身を本棚に並べて整理することができ、そのうえ愛着が湧き、長年使用する価値のある手帳を提供することである。
【０００５】
【課題を解決するための手段】
本発明の手帳は、一年間分の予定兼日記書込み用紙を、上下一組の綴じ具によって背側を差し替え不能に綴った中身と、その中身を着脱自在に取り付ける反復利用可能な表紙とから構成され、中身は、前記両綴じ具によって、背側の縁部の上下二箇所をその中間部に間隔を開けた状態で綴られると共に、該間隔で中身が湾曲可能になっており、表紙は、その背表紙部の上下両端部に、前記各綴じ具を係止する係止具を、綴じ具の内部に向かって突設してあることを特徴とするものである。
【０００６】
また、前記両綴じ具は、中身の背側に対面する樋状に湾曲する背面部を有すると共に、該背面部の湾曲両端部間に、中身の各綴り穴に挿通する半円状の保持部を、連結状態で設けたものであっても良い。
【０００７】
さらに、前記両綴じ具の背面部を、西暦、年号の記載箇所としたものであっても良い。
【０００８】
【発明の実施の形態】
本発明の手帳は、表紙１に、一年間分の用紙２を一纏に綴った中身３を着脱自在に取り付けるものである。
【０００９】
中身３は、一組の上下綴じ具４ａ，４ｂによって用紙２を差し替え不能に綴ると共に、綴った用紙２を背側の縁部沿いにおける中間部で湾曲可能に形成したものである。
【００１０】
各用紙２は、多数の綴り穴５を、背側の縁部に沿って等間隔を保って形成してあり、例えば月日及び曜日等の記載部分２１を上中２カ所に設け、その間に引いた罫線の余白部分２２に予定や当日の出来事を日記風に記載するものである。また、中身３の巻末部分に綴じる用紙２には、罫線のみが記載されているもの、或いは白紙のものを用いることもある。
【００１１】
上記した用紙２の綴り方は、綴り穴５を形成した縁部沿いの上下二箇所、具体的には中間箇所より上側の綴り穴群５ａを綴じ具４ａによって、また中間箇所よりも下側の綴り穴群５ｂを綴じ具４ｂによって綴り、両綴じ具４ａ，４ｂの隔離部分、即ち両綴り穴群５ａ，５ｂの離れた間隔Ｗ内で綴った中身３が湾曲可能になっている。
【００１２】
上下の綴じ具４ａ，４ｂは同一形態のものであり、用紙２を綴じる前は図２に示すように方形状の背面部４１を設けると共に、背面部４１の図示右端部に、右方向に帯状に延設し且つ綴り穴５へ挿通する保持部４２を、等間隔を保って櫛歯状に設けてあり、保持部４２を綴り穴５に通すと共に（図６参照）、保持部４２の右端部が背面部４１の左端部内面側に当接するように、全体を筒状に丸めることによって、図３に示すように背面部４１を樋状に、保持部４２を半円状に湾曲し、中身３を構成する各用紙２を差し替え不能に且つ捲り易いように綴るようにしたものである。尚、綴じ具４ａ，４ｂの材質としては、プラスチック、又は金属を使用する。
【００１３】
表紙１は、反復利用可能なように耐久性に優れ且つ高級感のある素材、例えば皮革を用い、図１に示すように表紙部１１、背表紙部１２、裏表紙部１３を折曲可能に連続し、背表紙部１２の上下両端部に、前記綴じ具４ａ，４ｂを係止する係止具１４ａ，１４ｂを有するものである。
【００１４】
両係止具１４ａ，１４ｂは、背表紙部１２の長手方向に沿って内蔵された棒状体１５の両端部から、前記綴じ具４ａ，４ｂ内に突入する方向に屈曲したフックである。また、下側の係止具１４ｂの屈折部分１６ｂを、表紙１の最下端部よりやや上側位置にすることによって、表紙１に取り付けた中身３が、表紙１の下側から食み出ないようにしてある。さらに、両係止具１４ａ，１４ｂ先端間の間隔Ｌと、両係止具屈折部１６ａ，１６ｂ間の間隔Ｍとの範囲内に、前記両綴じ具４ａ，４ｂにおける上下両端間の間隔Ｋが入るように、各間隔を設定することによって、表紙１に中身３を確実に取り付けられるようにしてある。
【００１５】
上記した手帳は、以下のようにして使用する。表紙１に中身３を取り付ける場合は、まず中身３を両綴じ具間の間隔Ｗで山型に湾曲して、上綴じ具４ａの上端と、下綴じ具４ｂの下端から各内部に両係止具１４ａ，１４ｂの先部をそれぞれ挿入し（図７参照）、湾曲させた力を放すと、中身３は元の状態に復元することによって、図４に示すように、上下の各綴じ具４ａ，４ｂに係止具１４ａ，１４ｂがそれぞれ係止して表紙１に中身３が取り付けられる。反対に中身３を表紙１から取り外す場合は、上記した手順と逆の要領で行えば良い。また、中身３は両綴じ具４ａ，４ｂの背面部４１に、西暦、年号を記載するように構成しておけば、一年ごとに取り外した使用済みの中身３を、図５に示すように、順番に本棚６に並べておくことによって、見やすい状態で整理することが可能である。
【００１６】
【発明の効果】
本発明の手帳は、中身が一年間分の用紙を上下一組の綴じ具によって背側の縁部の上下二カ所をその中間部に間隔を開けた状態で綴られた構造であることに加えて、表紙がその背表紙部の上下両端部に、綴じ具を係止する係止具を綴じ具の内部に向かって突設した構造なので、綴った用紙をその間隔を利用して山型に湾曲することにより、中身を表紙に着脱することができ、また、湾曲させた力を放せば用紙が元の状態に復元し、係止具と綴じ具が強固に係止した状態になるので中身を表紙に確実に取り付けることができる。また、一年ごとに中身を交換すれば、反復利用可能な表紙を長期間に亘って使用することができるので、その使用期間が長くなるにつれて愛着が強くなると共に、取り外した中身自体が製本化された状態なので、本棚に整理して並べるのに好都合である。
【００１７】
請求項２記載の手帳は、前記両綴じ具が、中身の背側に対面する樋状に湾曲する背面部を有すると共に、該背面部の湾曲両端部間に、中身の各綴り穴に挿通する半円状の保持部を、連結状態で設けてある構造なので、各用紙が捲り易く、しかも、綴った用紙が差し替え不能であり、使用上便利であると共に、用紙を紛失する恐れもない。
【００１８】
請求項３記載の手帳は、両綴じ具の背面部に西暦又は年号を記載してあるのでその綴じ具が手前側となるように使用済みの中身を順番に本棚に並べることによって、自身の足跡を長期間にわたって整理された状態で保存することができる。
【図面の簡単な説明】
【図１】本発明による手帳の実施形態を示す分解斜視図である
【図２】用紙を綴じる前の綴じ具を示す斜視図である。
【図３】用紙を綴じた後の綴じ具を示す斜視図である。
【図４】表紙に中身を取り付けた状態を示す一部拡大断面図である。
【図５】本棚に中身を並べた状態を示す斜視図である。
【図６】用紙の綴り穴に、綴じ具の保持部を挿入する状態を示す斜視図である。
【図７】中身を山型に湾曲して表紙に取り付ける状態を示す側面図である。
【符号の説明】
１  表紙
２  用紙
３  中身
４ａ，４ｂ  綴じ具
５  綴り穴
１２  背表紙部
１４ａ，１４ｂ  係止具
４１  背面部
４２  保持部
【図１】
0003732898.tif 000002
【図２】
0003732898.tif 000003
【図３】
0003732898.tif 000004
【図４】
0003732898.tif 000005
【図５】
0003732898.tif 000006
【図６】
0003732898.tif 000007
【図７】
0003732898.tif 000008